(57)【要約】【課題】基礎等のコンクリート中の補修剤カプセルにコンクリートのひび割れの修復をうまい具合に行わせることができ、それでいて、補修剤カプセルを生コンクリート中に容易に設置できる自己修復コンクリートの構造等を提供する。【解決手段】コンクリート１中において、アンカーボルト２の外周部に、外周全周にわたって延びるリング形の自己修復用補修剤カプセル３が、アンカーボルト２の長手方向に間隔的に取り付けられている。自己修復コンクリートの形成においては、自己修復用補修剤カプセル３として、補修剤４と、該補修剤４を収容するガラス質の第１殻５と、該第１殻５を外からカバーして第１殻５を保護するアルカリ溶解性の第２殻６、例えばアルミニウムの殻とを備えたものを用いるとよい。【選択図】      図１
2007092419.tif 000002
【特許請求の範囲】
【請求項１】
コンクリート中において、アンカーの外周部に、外周全周にわたって延びる環状のコンクリート自己修復用補修剤カプセルが取り付けられていることを特徴とする自己修復コンクリートの構造。
【請求項２】
前記カプセルがリング形をして、アンカーの長手方向に間隔的に取り付けられている請求項１に記載の自己修復コンクリートの構造。
【請求項３】
請求項１又は２に記載の自己修復コンクリートの施工方法であって、
コンクリート自己修復用補修剤カプセルとして、補修剤と、該補修剤を収容するガラス質の第１殻と、該第１殻を外からカバーして第１殻を保護するアルカリ溶解性の第２殻とを備えた環状のものを用い、
該環状カプセルが外周全周にわたるように外周部に取り付けられたアンカーを型枠内に設置し、該型枠内にコンクリートを打設して前記カプセルをコンクリート中に埋込み状態にすることを特徴とする自己修復コンクリートの形成方法。
【請求項４】
補修剤と、該補修剤を収容するガラス質の第１殻と、該第１殻を外からカバーして第１殻を保護するアルカリ溶解性の第２殻とを備えていることを特徴とするコンクリート自己修復用補修剤カプセル。
【発明の詳細な説明】
【技術分野】
【０００１】
本発明は、自己修復コンクリートの構造、同コンクリートの形成方法及びコンクリート自己修復用補修剤カプセルに関する。
【背景技術】
【０００２】
自己修復コンクリート用の補修剤カプセルとして、補修剤をガラス質の殻に収容した球状のものを用い、これをコンクリート中に分散状態に含ませ、コンクリートにひび割れが発生すると、カプセルのガラス質の殻が割れ、内部の補修剤が流れ出して、コンクリートのひび割れを自ら修復するようになされた自己修復コンクリートは、従来より提案されている。
【発明の開示】
【発明が解決しようとする課題】
【０００３】
しかしながら、上記のような自己修復コンクリートを、例えば、建物のコンクリート基礎に適用するような場合、アンカーボルト部分において生じるコンクリートの乾燥収縮ひび割れに対して、補修剤カプセルがその修復をうまい具合に行うことができるようにするには、補修剤カプセルをコンクリート中に均一に分散させておく必要があるが、それがなかなか難しいという問題がある。
【０００４】
また、上記のような補修剤カプセルでは、コンクリートのひび割れに追従して補修剤カプセルの殻に割れを生じることができるよう、殻は割れやすいガラス質のものでなければならないところ、そのような補修剤カプセルを生コンクリート中に含ませて混練したり、混練した補修剤カプセル入り生コンクリートを型枠に打ち込むと、補修剤カプセルの殻に割れを生じて補修剤が不必要に流出してしまうという問題もある。
【０００５】
本発明は、上記のような問題点に鑑み、コンクリート中の補修剤カプセルにコンクリートのひび割れの修復をうまい具合に行わせることができ、それでいて、補修剤カプセルを生コンクリート中に容易に設置することができる自己修復コンクリートの構造を提供することを課題とする。
【０００６】
また、本発明は、コンクリート中の補修剤カプセルにコンクリートのひび割れの修復を行わせることができ、それでいて、自己修復コンクリートの形成過程における補修剤カプセルの殻の割れを防ぐことができる、自己修復コンクリートの成形方法及び補修剤カプセルを提供することを課題とする。
【課題を解決するための手段】
【０００７】
上記の課題は、コンクリート中において、アンカーの外周部に、外周全周にわたって延びる環状のコンクリート自己修復用補修剤カプセルが取り付けられていることを特徴とする自己修復コンクリートの構造によって解決される（第１発明）。
【０００８】
この構造では、コンクリート中にアンカーが埋込み状態に備えられており、コンクリートのひび割れは、アンカー部分において生じる乾燥収縮ひび割れであるが、コンクリート中においてアンカーの外周部にはその外周全周にわたる環状のコンクリート自己修復用補修剤カプセルが取り付けられているので、どの方向の収縮ひび割れに対してでも、そのひび割れの影響が補修剤カプセルに確実に及ぼされ、カプセルの補修剤にそのひび割れをうまい具合に修復させることができる。
【０００９】
しかも、補修剤カプセルは、環状をしていて、アンカーの外周部に取り付けられているので、アンカーを型枠内に設置すれば補修剤カプセルも設置され、補修剤カプセルを生コンクリート中に容易に設置することができる。
【００１０】
第１発明の構造において、補修剤カプセルがリング形をして、アンカーの長手方向に間隔的に取り付けられているとよい（第２発明）。この場合は、どの方向の収縮ひび割れに対してでも、そのひび割れの影響がリング形の補修剤カプセルに確実に及ぼされ、カプセルの補修剤にそのひび割れをうまい具合に修復させることができると共に、アンカーとコンクリートとの付着力の影響を小さくすることができる。
【００１１】
また、上記の課題は、第１、第２発明の自己修復コンクリートの施工方法であって、
コンクリート自己修復用補修剤カプセルとして、補修剤と、該補修剤を収容するガラス質の第１殻と、該第１殻を外からカバーして第１殻を保護するアルカリ溶解性の第２殻とを備えた環状のものを用い、
該環状カプセルが外周全周にわたるように外周部に取り付けられたアンカーを型枠内に設置し、該型枠内にコンクリートを打設して前記カプセルをコンクリート中に埋込み状態にすることを特徴とする自己修復コンクリートの形成方法によって解決される。
【００１２】
この方法では、補修剤カプセルとして、ガラス質の第１殻が外からアルカリ溶解性の第２殻によってカバーされているものを用いているので、型枠内に打たれる生コンクリートによって補修剤カプセルのガラス質の第１殻が割られてしまうのを第２の殻が防いで、自己修復コンクリート形成過程での補修剤の不必要な流出を防ぐことができ、それでいて、第２の殻はアルカリ溶解性であるので、コンクリートが硬化すると第２の殻は溶解し、コンクリートのひび割れ発生時には、ガラス質の第１の殻が割られて補修剤が流出し、補修剤にひび割れの補修を行わせることができる。
【００１３】
また、上記の課題は、補修剤と、該補修剤を収容するガラス質の第１殻と、該第１殻を外からカバーして第１殻を保護するアルカリ溶解性の第２殻とを備えていることを特徴とするコンクリート自己修復用補修剤カプセル（第４発明）によっても解決され、自己修復コンクリートの形成過程における補修剤カプセルの殻の割れを防ぐことができ、それでいて、コンクリート中の補修剤カプセルにコンクリートのひび割れの修復を行わせることができる。
【００１４】
なお、第４発明の補修剤カプセルは、リング形などの環状でなくてもよく、形態についての制限はないし、また、生コンクリートと混練することで生コンクリート中に分散状態に備えさせ、型枠内にそれを打ち込んで自己修復コンクリートを形成する場合の補修剤カプセルとして用いられてもよい。
【発明の効果】
【００１５】
本発明の自己修復コンクリートの構造は、以上のとおりのものであるから、コンクリート中の補修剤カプセルにコンクリートのひび割れの修復をうまい具合に行わせることができ、それでいて、補修剤カプセルを生コンクリート中に容易に設置することができる。
【００１６】
また、本発明の自己修復コンクリートの成形方法及び補修剤カプセルでは、コンクリート中の補修剤カプセルにコンクリートのひび割れの修復を行わせることができ、それでいて、自己修復コンクリートの形成過程における補修剤カプセルの殻の割れを防ぐことができる。
【発明を実施するための最良の形態】
【００１７】
次に、本発明の実施最良形態を図面に基づいて説明する。
【００１８】
図１（イ）〜（ハ）に示す第１実施形態は、コンクリート基礎に用いた場合のもので、１は基礎コンクリート、２はアンカーとしてのアンカーボルト、３…は補修剤カプセルである。
【００１９】
補修剤カプセル３は、ループ状のリング形をしていて、図１（ハ）に示すように、液状の補修剤４と、該補修剤４を収容するガラス質の第１殻５と、該第１殻５を外からカバーして第１殻５を保護するアルカリ溶解性の第２殻６とを備えたものからなっており、第２殻６は例えばアルミニウムからなっている。
【００２０】
そして、該リング形補修剤カプセル３は、アンカーボルト２の外周部に、該アンカーボルトの外周全周にわたって延びるように外装状態にされ、図１（イ）に示すように、アンカーボルト２の長手方向に複数個、間隔的に取り付けられ、アンカーボルト２と共に、基礎コンクリート１中に埋込み状態にされて備えられて自己修復コンクリート基礎を構成している。
【００２１】
施工は、基礎型枠内に、補修剤カプセル３…付きのアンカーボルト２を設置し、次いで、生コンクリートを型枠内に流し込み、コンクリートを硬化させればよい。コンクリートの硬化により、各補修剤カプセル３の第２殻６は溶解する。
【００２２】
上記の自己修復コンクリート基礎では、図１（ホ）に示すように、基礎コンクリート１に乾燥収縮ひび割れ７…を生じると、補修剤カプセル３…はリング形をしているので、そのひび割れ７…がどの方向の収縮ひび割れであっても、そのひび割れの影響がリング形の補修剤カプセル３…に確実に及ぼされ、ガラス質の第１殻５が割られて補修剤４が流出し、それらのひび割れがうまい具合に修復される。
【００２３】
しかも、基礎の形成過程においても、補修剤カプセル３…が、リング形をしていて、アンカーボルト２の外周部に取り付けられていることで、アンカーボルト２を基礎型枠内に設置すれば補修剤カプセル３…も設置され、補修剤カプセル３…を生コンクリート中に容易に設置することができる。
【００２４】
加えて、各補修剤カプセル３…はリング形をしていて、アンカーボルト２の長手方向に間隔的に備えられているので、アンカーボルト２と基礎コンクリート１とがしっかりと付着することができ、それらの付着力への影響を小さくすることができる。
【００２５】
そして、基礎の形成においては、補修剤カプセル３として、補修剤４を収容するガラス質の第１殻５が外からアルカリ溶解性の第２殻６によってカバーされているものを用いているので、型枠内に打たれる生コンクリートによって補修剤カプセル３のガラス質の第１殻５が割られてしまうのを第２殻６が防いで、基礎形成過程での補修剤４の不必要な流出を防ぐことができ、それでいて、第２殻６はアルカリ溶解性であるので、コンクリートが硬化すると第２殻６は溶解し、基礎コンクリート１のひび割れ発生時には、ガラス質の第１殻５が割られて補修剤４が流出し、補修剤４にひび割れ７の補修を行わせることができる。
【００２６】
図１（ニ）に示す第２実施形態では、補修剤カプセル３に備えさせる補修剤として、２液性の補修剤を用いた場合のもので、第１殻５の内部が環板状の仕切り８で上下２室に区画され、一方の室に主剤４ａが、もう一方の室に硬化剤４ｂが収容され、基礎コンクリートのひび割れで第１殻５が割れると、これら主剤４ａと硬化剤４ｂとが流出して混合され、補修剤として機能するようになされている。なお、仕切り８は、ガラス質のものであってもなくてもよい。
【００２７】
以上に、本発明の実施形態を示したが、本発明はこれに限られるものではなく、発明思想を逸脱しない範囲で各種の変更が可能である。例えば、上記の実施形態では、補修剤カプセルがループ状のリング形をしている場合を示したが、第１及び第３発明では、非ループ状のリング形をしていてもよいし、また、リング形に限らず、１周以上周回する螺旋形や、筒形など、各種環状の形態をしていてよい。
【００２８】
また、第３及び第４発明においていう「ガラス質」の語は、本来のガラスのほか、ガラスのような脆さを備えた材質のものをも含む意味において用いられているものであることはいうまでもない。
【００２９】
更に、上記の実施形態では、本発明をコンクリート基礎に適用した場合を示したが、第１〜第３の発明は、乾燥収縮ひび割れの原因となるアンカーを埋込み状態に備えたコンクリート構造物に広く用いることができるものである。
【図面の簡単な説明】
【００３０】
【図１】図（イ）〜図（ホ）は第１実施形態を示すもので、図（イ）は自己修復コンクリート基礎の断面正面図、図（ロ）は図（イ）のＩ−Ｉ線断面矢視図、図（ハ）は図（ロ）のＩＩ−ＩＩ線断面図、図（ホ）は基礎コンクリートの乾燥収縮ひび割れの一例を示す斜視図、図（ヘ）は第２実施形態を示すもので、補修剤カプセルつきアンカーボルトの縦断面図である。
【符号の説明】
【００３１】
１…基礎コンクリート（コンクリート）
２…アンカーボルト（アンカー）
３…自己修復用補修剤カプセル
４…補修剤
５…ガラス質の第１殻
６…アルカリ溶解性の第２殻
【図１】
2007092419.tif 000003